(57)【特許請求の範囲】
【請求項１】
回転すると共に円弧状の外周面を有する被帯電体の該外周面に対向して設けられ、該被帯電体の回転軸方向に沿って延びる放電電極と、
前記被帯電体の前記外周面と前記放電電極との間に配置され、前記被帯電体の回転軸方向に沿って長さを有する電位制御板であって、絞り加工により自立的に形状維持するように塑性変形された変形部分と、該変形部分に対する長手方向端側に配置された平板状の平板部分とを有する前記電位制御板と、
前記電位制御板の前記平板部分のみで前記電位制御板を支持する支持部材と、
前記放電電極、前記電位制御板及び前記支持部材が配置され、前記電位制御板の長手方向に直交する短手方向の両端部が非接触とされた筐体と、
を備える帯電装置。
【請求項２】
前記電位制御板は、少なくとも被帯電体の回転方向下流端を含む回転方向下流側の一部において、前記被帯電体との距離が、前記被帯電体の回転方向下流側に行くにつれて離れるように塑性変形されている請求項１に記載の帯電装置。
【請求項３】
前記電位制御板は、前記被帯電体との距離が一定となるように、長手方向から見て円弧状に塑性変形されている請求項１に記載の帯電装置。
【請求項４】
前記放電電極が２本以上である請求項１〜３のいずれか１項に記載の帯電装置。
【請求項５】
前記電位制御板の長手方向端部において前記放電電極側の表面に突き当たる突き当て部材を有する請求項１〜４のいずれか１項に記載の帯電装置と、
前記帯電装置によって帯電される被帯電体としての感光体と、
前記感光体の軸方向端部に設けられ、前記電位制御板の長手方向端部において前記表面の反対側の裏面に突き当たる突き当て部材と、
を備える画像形成装置。
【請求項６】
請求項１〜４のいずれか１項に記載の帯電装置と、
オーバー・コート層を有し、前記帯電装置によって帯電される被帯電体としての感光体と、
備える画像形成装置。
【発明の詳細な説明】
【技術分野】
【０００１】
本発明は、帯電装置及び画像形成装置に関する。
【背景技術】
【０００２】
特許文献１には、感光体ドラムの曲率に沿って配置されたグリッド電極を有するスコロトロン帯電装置が開示されている。このスコロトロン帯電装置では、公開公報図５に示すように、グリッド電極２３は、複数の開口部２３１と、短手方向に間隔が一定のパターン線２３２を有している。長手方向両端部には、張設するための引掛け部２３３Ａ、２３３Ｂが一体に形成されている。２３３Ａ、２３３Ｂはそれぞれ、引掛けるための本体部２３３ａと、短手方向外側へ拡がるように延びる一対の腕部２３３ｂとから構成されている。
【先行技術文献】
【特許文献】
【０００３】
【特許文献１】２００８−２６２１１４号公報
【発明の概要】
【発明が解決しようとする課題】
【０００４】
本発明は、塑性変形させた電位制御板を備える構成において、電位制御板の長手方向における帯電性のばらつきを抑制することを課題とする。
【課題を解決するための手段】
【０００５】
請求項１の発明は、回転すると共に円弧状の外周面を有する被帯電体の該外周面に対向して設けられ、該被帯電体の回転軸方向に沿って延びる放電電極と、前記被帯電体の前記外周面と前記放電電極との間に配置され、前記被帯電体の回転軸方向に沿って長さを有する電位制御板であって、絞り加工により自立的に形状維持するように塑性変形された変形部分と、該変形部分に対する長手方向端側に配置された平板状の平板部分とを有する前記電位制御板と、前記電位制御板の前記平板部分のみで前記電位制御板を支持する支持部材と、前記放電電極、前記電位制御板及び前記支持部材が配置され、前記電位制御板の長手方向に直交する短手方向の両端部が非接触とされた筐体と、を備える帯電装置である。
【０００６】
請求項２の発明は、前記電位制御板は、少なくとも被帯電体の回転方向下流端を含む回転方向下流側の一部において、前記被帯電体との距離が、前記被帯電体の回転方向下流側に行くにつれて離れるように塑性変形されている請求項１に記載の帯電装置である。
【０００７】
請求項３の発明は、前記電位制御板は、前記被帯電体との距離が一定となるように、長手方向から見て円弧状に塑性変形されている請求項１に記載の帯電装置である。
【０００８】
請求項４の発明は、前記放電電極が２本以上である請求項１〜３のいずれか１項に記載の帯電装置である。
【０００９】
請求項５の発明は、前記電位制御板の長手方向端部において前記放電電極側の表面に突き当たる突き当て部材を有する請求項１〜４の帯電装置と、前記帯電装置によって帯電される被帯電体としての感光体と、前記感光体の軸方向端部に設けられ、前記電位制御板の長手方向端部において前記表面の反対側の裏面に突き当たる突き当て部材と、を備える画像形成装置である。
【００１０】
請求項６の発明は、請求項１〜４のいずれか１項に記載の帯電装置と、オーバー・コート層を有し、前記帯電装置によって帯電される被帯電体としての感光体と、備える画像形成装置である。
【発明の効果】
【００１１】
本発明の請求項１の構成によれば、電位制御板の短手方向両端側が支持された構成に比べ、電位制御板の長手方向における帯電性のばらつきを抑制できる。
【００１２】
本発明の請求項２の構成によれば、被帯電体の回転方向下流端側で被帯電体との距離が離れない構成に比べ、被帯電体の回転方向下流側における帯電性のばらつきを抑制できる。
【００１３】
本発明の請求項３の構成によれば、電位制御板が平板状に形成された構成に比べて、帯電効率がよくなる。
【００１４】
本発明の請求項４の構成によれば、放電電極が１本である構成に比べて、帯電効率の改善効果が高い。
【００１５】
本発明の請求項５の構成によれば、突き当て部材を備えない構成に比べ、電位制御板の形状維持が図られる。
【００１６】
本発明の請求項６の構成によれば、放電生成ガスの影響を受けやすいオーバー・コート層を有する感光体において、放電生成ガスの発生に起因する画像欠陥を抑制できる。
【図面の簡単な説明】
【００１７】
【図１】本実施形態に係る画像形成装置の構成を示す概略図である。
【図２】本実施形態に係る感光体周辺の構成を示す概略図である。
【図３】本実施形態に係る帯電装置の構成を示す斜視図である。
【図４】本実施形態に係る帯電装置の構成を概略的に示す断面図である。
【図５】本実施形態に係るグリッドの構成を示す斜視図である。
【図６】突き当て部材を備える帯電装置の構成を概略的に示す断面図である。
【図７】第１変形例に係るグリッドを備える帯電装置の構成を概略的に示す断面図である。
【図８】第２変形例に係るグリッドを備える帯電装置の構成を概略的に示す断面図である。
【図９】第３変形例に係るグリッドを備える帯電装置の構成を概略的に示す断面図である。
【図１０】第４変形例に係るグリッドを備える帯電装置の構成を概略的に示す断面図である。
【図１１】適用例１に係る画像形成装置の構成を示す概略構成図である。
【図１２】適用例２に係る画像形成装置の構成を示す概略構成図である。
【発明を実施するための形態】
【００１８】
以下に、本発明に係る実施形態の一例を図面に基づき説明する。
（本実施形態に係る画像形成装置の構成）
まず、本実施形態に係る画像形成装置の構成を説明する。図１は、本実施形態に係る画像形成装置の構成を示す概略図である。
【００１９】
画像形成装置１０は、記録媒体の一例としての記録用紙Ｐが収容される用紙収容部１２と、用紙収容部１２の上に設けられ用紙収容部１２から供給される記録用紙Ｐに画像形成を行う画像形成部１４と、画像形成部１４の上に設けられ読取原稿Ｇを読み取る原稿読取部１６と、画像形成部１４内に設けられ画像形成装置１０の各部の動作を制御する制御部２０と、を含んで構成されている。なお、以後の説明では、画像形成装置１０の装置本体１０Ａの上下方向を矢印Ｖ方向、水平方向を矢印Ｈ方向と記載する。
【００２０】
用紙収容部１２は、サイズの異なる記録用紙Ｐが収容される第１収容部２２、第２収容部２４、及び第３収容部２６が設けられている。第１収容部２２、第２収容部２４、及び第３収容部２６には、収容された記録用紙Ｐを画像形成装置１０内に設けられた搬送路２８に送り出す送り出しロール３２が設けられている。搬送路２８における送り出しロール３２よりも下流側には、記録用紙Ｐを一枚ずつ搬送するそれぞれ一対の搬送ロール３４及び搬送ロール３６が設けられている。また、搬送路２８における記録用紙Ｐの搬送方向で搬送ロール３６よりも下流側には、記録用紙Ｐを一端停止させるとともに、決められたタイミングで後述する二次転写位置へ送り出す位置合せロール３８が設けられている。
【００２１】
搬送路２８の上流側部分は、画像形成装置１０の正面視において、矢印Ｖ方向に向けて用紙収容部１２の左側から画像形成部１４の左側下部まで直線状に設けられている。また、搬送路２８の下流側部分は、画像形成部１４の左側下部から画像形成部１４の右側面に設けられた排紙部１５まで設けられている。さらに、搬送路２８には、記録用紙Ｐの両面に画像形成を行うために記録用紙Ｐが搬送及び反転される両面搬送路２９が接続されている。
【００２２】
両面搬送路２９は、画像形成装置１０の正面視において、搬送路２８と両面搬送路２９の切り替えが行われる第１切替部材３１と、画像形成部１４の右側下部から用紙収容部１２の右側まで矢印Ｖ方向に直線状に設けられた反転部３３と、反転部３３に搬送された記録用紙Ｐの後端が進入するとともに矢印Ｈ方向に搬送される搬送部３７と、反転部３３と搬送部３７の切り替えが行われる第２切替部材３５と、を有している。そして、反転部３３には一対の搬送ロール４２が間隔をあけて複数箇所に設けられており、搬送部３７には一対の搬送ロール４４が間隔をあけて複数箇所に設けられている。
【００２３】
第１切替部材３１は三角柱状の部材であり、図示しない駆動手段によって先端部が搬送路２８又は両面搬送路２９のいずれか一方に移動されることで、記録用紙Ｐの搬送方向を切り替えるようになっている。同様に、第２切替部材３５は三角柱状の部材であり、図示しない駆動手段によって先端部が反転部３３又は搬送部３７のいずれか一方に移動されることで、記録用紙Ｐの搬送方向を切り替えるようになっている。なお、搬送部３７の下流側端部は、搬送路２８の上流側部分にある搬送ロール３６の手前側に図示しない案内部材により接続されている。また、画像形成部１４の左側面には、折り畳み式の手差給紙部４６が設けられており、手差給紙部４６から搬送路２８の位置合せロール３８へ記録用紙Ｐを搬送可能とされている。
【００２４】
原稿読取部１６は、読取原稿Ｇを１枚ずつ搬送する原稿搬送装置５２と、原稿搬送装置５２の下側に配置され読取原稿Ｇが載せられるプラテンガラス５４と、原稿搬送装置５２によって搬送された読取原稿Ｇ又はプラテンガラス５４に載せられた読取原稿Ｇを読み取る原稿読取装置５６とが設けられている。原稿搬送装置５２は、一対の搬送ロール５３が複数配置された搬送路５５を有しており、搬送路５５の一部は記録用紙Ｐがプラテンガラス５４上を通るように配置されている。また、原稿読取装置５６は、プラテンガラス５４の左端部に静止した状態で原稿搬送装置５２によって搬送された読取原稿Ｇを読み取り、又は矢印Ｈ方向に移動しながらプラテンガラス５４に載せられた読取原稿Ｇを読み取るようになっている。
【００２５】
一方、画像形成部１４には、回転すると共に円弧状の外周面を有する被帯電体の一例として、円筒又は円柱状の感光体６２が、装置本体１０Ａの中央部に設けられている。感光体６２は、図示しない駆動手段によって矢印＋Ｒ方向（図１における時計回り方向）に回転すると共に光照射によって形成される静電潜像を保持するようになっている。また、感光体６２は、その表面に、感光体６２の表面の摩耗を抑制するオーバー・コート層を有している。また、感光体６２の上方で且つ感光体６２の外周面と対向する位置には、感光体６２の表面を帯電するスコロトロン方式の帯電装置１００が設けられている。帯電装置１００の具体的な構成については、後述する。
【００２６】
感光体６２の回転方向における帯電装置１００よりも下流側で且つ感光体６２の外周面と対向する位置には、露光装置６６が設けられている。露光装置６６は、帯電装置１００により帯電した感光体６２の外周面に各トナー色に対応した画像信号に基づき、光を照射（露光）して静電潜像を形成するようになっている。
【００２７】
感光体６２の回転方向で露光装置６６の露光光が照射される部位よりも下流側には、感光体６２の外周面に形成された静電潜像を決められた色のトナーで現像して可視化させる回転切り替え式の現像装置７０が設けられている。
【００２８】
図２に示すように、現像装置７０は、イエロー（Ｙ）、マゼンタ（Ｍ）、シアン（Ｃ）、黒（Ｋ）、第１特別色（Ｅ）、第２特別色（Ｆ）の各トナー色にそれぞれ対応する現像器７２Ｙ、７２Ｍ、７２Ｃ、７２Ｋ、７２Ｅ、７２Ｆが、周方向に（反時計回り方向にこの順番で）並んで配置されており、回転手段であるモータ（図示省略）によって中心角で６０°ずつ回転することで、現像処理を行う現像器７２Ｙ、７２Ｍ、７２Ｃ、７２Ｋ、７２Ｅ、７２Ｆが切り替えられ、感光体６２の外周面と対向するようになっている。この感光体６２の外周面と対向する位置が、現像処理を行う現像位置となる。なお、現像器７２Ｙ、７２Ｍ、７２Ｃ、７２Ｋ、７２Ｅ、７２Ｆは同様の構成となっているため、ここでは現像器７２Ｙについて説明し、他の現像器７２Ｍ、７２Ｃ、７２Ｋ、７２Ｅ、７２Ｆについては説明を省略する。
【００２９】
現像器７２Ｙは、その内部にトナーカートリッジ７８Ｙ（図１参照）からトナー供給路（図示省略）を経由して供給されるトナー及びキャリアから成る現像剤（図示省略）が充填されている。現像器７２Ｙは、外周面が感光体６２の外周面と対向する現像ロール７４を備えている。
【００３０】
現像ロール７４は、現像スリーブ７４Ａの外周面の現像剤層を、感光体６２に対向する位置に搬送し、感光体６２の外周面に形成された潜像（静電潜像）にトナーを付着させて現像を行う。
【００３１】
なお、各現像器７２Ｙ、７２Ｍ、７２Ｃ、７２Ｋ、７２Ｅ、７２Ｆに設けられた６本の現像ロール７４は、隣の現像ロール７４との間隔が中心角６０°となるように周方向に配置されており、現像器７２の切り替えにより、次の現像ロール７４が感光体６２の外周面と対向するようになっている。
【００３２】
感光体６２の回転方向で現像装置７０よりも下流側であり且つ感光体６２の下側には、感光体６２の外周面に形成されたトナー画像が転写される中間転写ベルト６８が設けられている。中間転写ベルト６８は、無端状であり、制御部２０により回転駆動される駆動ロール６１、中間転写ベルト６８に張力を付与するための張力付与ロール６３、中間転写ベルト６８の裏面に接触して従動回転する複数の搬送ロール６５、及び後述する二次転写位置において中間転写ベルト６８の裏面に接触して従動回転する補助ロール６９に巻き掛けられている。そして、中間転写ベルト６８は、駆動ロール６１が回転することにより、矢印−Ｒ方向（図２における反時計回り方向）に周回移動するようになっている。
【００３３】
また、中間転写ベルト６８を挟んで感光体６２の反対側には、感光体６２の外周面に形成されたトナー画像を中間転写ベルト６８に一次転写させる一次転写ロール６７が設けられている。一次転写ロール６７は、感光体６２と中間転写ベルト６８とが接触する位置から中間転写ベルト６８の移動方向下流側に離れた位置で、中間転写ベルト６８の裏面に接触している。そして、一次転写ロール６７は、図示しない電源から通電されることにより、接地されている感光体６２との電位差で感光体６２のトナー画像を中間転写ベルト６８に一次転写するようになっている。
【００３４】
さらに、中間転写ベルト６８を挟んで補助ロール６９の反対側には、中間転写ベルト６８上に一次転写されたトナー画像を記録用紙Ｐに二次転写させる転写手段の一例としての二次転写ロール７１が設けられており、二次転写ロール７１と補助ロール６９との間が記録用紙Ｐへトナー画像を転写する二次転写位置とされている。二次転写ロール７１は、中間転写ベルト６８の表面に接触している。そして、二次転写ロール７１は、図示しない電源から通電されることにより、接地されている補助ロール６９との電位差で中間転写ベルト６８のトナー画像を記録用紙Ｐに二次転写するようになっている。
【００３５】
また、中間転写ベルト６８を挟んで駆動ロール６１の反対側には、中間転写ベルト６８の二次転写後の残留トナーを回収する現像剤回収装置の一例としてのクリーニング装置６０が設けられている。クリーニング装置６０では、クリーニングブレード６４が中間転写ベルト６８に接触してトナーを掻き取るようになっている。このクリーニング装置６０のクリーニングブレード６４及び二次転写ロール７１は、各色のトナー画像が中間転写ベルト６８に多重（一次）転写され且つ記録用紙Ｐ上に二次転写されるまで、中間転写ベルト６８の外周面から離れるようになっている。
【００３６】
さらに、中間転写ベルト６８の周囲で張力付与ロール６３と対向する位置には、中間転写ベルト６８の表面に付されたマーク（図示省略）を検知することで中間転写ベルト６８上の予め定めた基準位置を検出し、画像形成処理の開始タイミングの基準となる位置検出信号を出力する位置検出センサ８３が設けられている。
【００３７】
感光体６２の回転方向で一次転写ロール６７よりも下流側には、中間転写ベルト６８に一次転写されずに感光体６２の表面に残留した残留トナー等を清掃するクリーニング装置７３が設けられている。クリーニング装置７３は、感光体６２表面に接触するクリーニングブレード及びブラシロールにより残留トナー等を回収する構成となっている。また、感光体６２の回転方向でクリーニング装置７３の上流側（一次転写ロール６７よりも下流側）には、感光体６２の外周面への放電により一次転写ロールの帯電履歴を除電する除電装置８１が設けられている。除電装置８１は、クリーニング装置７３による残留トナー等の回収前に感光体６２の外周面にマイナス放電を行い、一次転写ロールによるプラス帯電の履歴を除去し、次の画像形成に影響を与えないようにするためのものである。また、クリーニング装置７３の下流側で且つ帯電装置１００の上流側に、感光体６２の外周面に光を照射してマイナス帯電の履歴をキャンセルする除電手段７５を設けられている。
【００３８】
図１に示すように、二次転写ロール７１によるトナー画像の二次転写位置は、前述の搬送路２８の途中に設定されており、搬送路２８における記録用紙Ｐの搬送方向（矢印Ａで図示）で二次転写ロール７１よりも下流側には、二次転写ロール７１によってトナー画像が転写された記録用紙Ｐにトナー画像を定着させる定着装置８０が設けられている。定着装置８０は、記録用紙Ｐのトナー画像面側（上側）に配置され、通電により発熱する熱源を有する加熱ロール８２と、加熱ロール８２の下側に配置され記録用紙Ｐを加熱ロール８２の外周面に向けて加圧する加圧ロール８４とで構成されている。なお、搬送路２８における記録用紙Ｐの搬送方向で定着装置８０よりも下流側には、排紙部１５又は反転部３３へ向けて記録用紙Ｐを搬送する搬送ロール３９が設けられている。
【００３９】
一方、原稿読取装置５６の下側で現像装置７０よりも上側には、イエロー（Ｙ）、マゼンタ（Ｍ）、シアン（Ｃ）、黒（Ｋ）、第１特別色（Ｅ）、第２特別色（Ｆ）の各トナーを収容するトナーカートリッジ７８Ｙ、７８Ｍ、７８Ｃ、７８Ｋ、７８Ｅ、７８Ｆが水平方向に並んで交換可能に設けられている。第１特別色Ｅ及び第２特別色Ｆは、イエロー、マゼンタ、シアン、ブラック以外の特別色（透明を含む）から選択され、または、選択されないようになっている。そして、現像装置７０では、第１特別色Ｅ及び第２特別色Ｆが選択された場合はＹ、Ｍ、Ｃ、Ｋ、Ｅ、Ｆの６色での画像形成を行い、第１特別色Ｅ及び第２特別色Ｆが選択されない場合はＹ、Ｍ、Ｃ、Ｋの４色での画像形成を行うようになっている。なお、本実施形態では、一例として、Ｙ、Ｍ、Ｃ、Ｋ、Ｅ、Ｆの６色で画像形成を行う場合について説明するが、他の例として、Ｙ、Ｍ、Ｃ、Ｋの４色と第１特別色Ｅ又は第２特別色Ｆを用いて５色で画像形成を行ってもよい。
【００４０】
（帯電装置１００の構成）
次に、帯電装置１００の構成について説明する。
【００４１】
帯電装置１００は、図２に示すように、感光体６２側が開口した筐体の一例として、アルミニウム製のシールドケース１０２を備えている。シールドケース１０２は、感光体６２の回転軸方向に沿って延びる細長い箱状とされている（図３参照）。シールドケース１０２内には、図２に示すように、シールドケース１０２内を幅方向（感光体６２の回転方向）中央部で仕切っている仕切板１０４が設けられている。
【００４２】
シールドケース１０２内には、感光体６２の外周面に対向して設けられ感光体６２の回転軸方向に沿って延びる放電電極の一例としての放電ワイヤ１０６・１０８が、仕切板１０４を挟んだ両側に設けられている。放電ワイヤ１０６・１０８は、タングステン等の金属線で構成されている。なお、放電電極としては、樹脂が被覆されたワイヤや板状の金属板等で構成された放電部材であってもよく、放電がなされるものであればよい。
【００４３】
放電ワイヤ１０６・１０８は、電源（図示省略）から電圧が印加されることで、マイナス電荷を発生させると共に感光体６２の表面へこのマイナス電荷を供給する放電動作を行うようになっている。この放電動作により、感光体６２が帯電するようになっている。
【００４４】
シールドケース１０２の開口側であって、かつ、放電ワイヤ１０６・１０８と感光体６２との間には、電位制御板の一例としてのグリッド１１０が感光体６２の回転軸方向に沿って配置されている。グリッド１１０は、一部がメッシュ状に形成された金属板で構成されると共に、感光体６２の外周面に沿って湾曲状に形成されている。
【００４５】
また、グリッド１１０は、感光体６２の回転軸方向に長さを有している。すなわち、グリッド１１０の長手方向が感光体６２の回転軸方向に沿っており、グリッド１１０の短手方向が感光体６２の回転方向に沿っている。なお、グリッド１１０は、メッシュ状である構成に限られず、例えば、スリット状であってもよく、複数の開口を有していればよい。
【００４６】
このグリッド１１０では、放電ワイヤ１０６・１０８で発生したマイナス電荷が、グリッド１１０の開口を通過して感光体６２に供給されるようになっており、制御部（図示省略）によって制御されるグリッド電圧により、グリッド１１０を通過するマイナス電荷の通過量が制御される。これにより、感光体６２の帯電電位が制御される。
【００４７】
具体的には、感光体６２の電位に対してグリッド１１０の電圧（電位）が高い場合には、その電位差によりマイナス電荷が感光体６２へ向かうのでマイナス電荷の通過量が多く、感光体６２にマイナス電荷が供給されることで、感光体６２とグリッド１１０との電位差が小さくなると、マイナス電荷の通過量が減少するようになっている。従って、グリッド１１０のグリッド電圧を高く設定することで、グリッド電圧を低く設定した場合よりも、マイナス電荷の通過量が増加し、感光体６２の帯電電位が高くなる。
【００４８】
ここで、グリッド１１０は、具体的には、図４及び図５に示すように、放電ワイヤ１０６・１０８側へ凸状に湾曲された湾曲部１２０と、湾曲部１２０の外周を枠状に囲む枠部１３０と、を備えて構成されている。
【００４９】
枠部１３０は、平らな平板で構成されている。また、枠部１３０は、湾曲部１２０に対する感光体６２の回転方向上流側及び下流側において感光体６２の回転軸方向に沿って線状に延びる一対の線状部１３２と、湾曲部１２０に対する感光体６２の回転軸方向一端側及び他端側において一対の線状部１３２の一方から他方までの幅を有する幅広部１３４・１３５と、を有している。
【００５０】
一方（図５における左上側）の幅広部１３４には、後述の引掛け部１６２が引っ掛けられる２つの引掛け孔１３６が形成されている。他方（図５における右下側）の幅広部１３５には、後述のトーションバネ１７２が引っ掛けられる２つの引掛け孔１３８と、後述の突き当て部１７４が差し込まれる２つの差込孔１３７が形成されている。
【００５１】
湾曲部１２０は、メッシュ状にされたメッシュ部１２２を有している。メッシュ部１２２は、例えば、四角形状を並べられた格子状、六角形状が並んだ亀の子状に形成されている。
【００５２】
メッシュ部１２２の外周には、メッシュ部１２２を枠状に囲む枠部分１２４が形成されている。メッシュ部１２２には、グリッド１１０の短手方向中央部において、メッシュ部１２２を二つの領域に仕切る仕切部１２６が、グリッド１１０の長手方向に沿って形成されている。
【００５３】
メッシュ部１２２は、感光体６２の画像領域（非帯電領域）に対向して配置されており、この部分で少なくとも、感光体６２の外周面に沿って湾曲状に形成されている。具体的には、メッシュ部１２２及び枠部分１２４の一部で、感光体６２との距離が一定となるように、長手方向から見て円弧状に塑性変形されている。
【００５４】
湾曲部１２０は、絞り加工により自立的に形状維持するように構成されている。すなわち、湾曲部１２０は、外力を排除すると平板に復帰する弾性変形ではなく、湾曲状態が維持される塑性変形をしている。
【００５５】
本実施形態では、絞り加工は、具体的には、プレス絞り加工を用いているが、絞り加工としては、ロール絞り加工など、他の加工を用いてもよい。
【００５６】
一方、シールドケース１０２内におけるシールドケース１０２の長手方向両端部には、図３に示すように、グリッド１１０の長手方向両端部を支持する支持部材１６０・１７０が設けられている。
【００５７】
支持部材１６０には、幅広部１３４の引掛け孔１３６のそれぞれに引っ掛けられる２つの引掛け部１６２が形成されている。２つの引掛け部１６２は、シールドケース１０２の短手方向に沿って並んで配置されている。
【００５８】
支持部材１６０には、２つの引掛け部１６２を間に挟んだ両側の位置に、グリッド１１０と感光体６２との距離を規定するための突き当て部１６４が形成されている。突き当て部１６４は、引掛け部１６２よりも感光体６２側へ突出している。
【００５９】
支持部材１７０には、幅広部１３５の引掛け孔１３８のそれぞれに引っ掛けられる２つのトーションバネ１７２が設けられている。２つのトーションバネ１７２は、シールドケース１０２の短手方向に沿って並んで配置されている。トーションバネ１７２が引掛け孔１３８に引っ掛けられると共に引掛け部１６２が引掛け孔１３６に引っ掛けられた状態において、トーションバネ１７２に対する引掛け部１６２側とは反対の方向（図３においてＡ方向）へトーションバネ１７２がグリッド１１０を付勢し、グリッド１１０に長手方向の張力を付与している。
【００６０】
支持部材１７０には、トーションバネ１７２に対するシールドケース１０２の長手方向中央部側の位置に、グリッド１１０と感光体６２との距離を規定するための突き当て部１７４が２つ形成されている。突き当て部１７４は、それぞれ、トーションバネ１７２の先端よりも感光体６２側へ突出している。
【００６１】
グリッド１１０は、前述のように、その長手方向両端部（幅広部１３４・１３５）が、引掛け部１６２及びトーションバネ１７２によって支持されている。具体的には、グリッド１１０は、感光体６２の被帯電領域の外側（詳細には、感光体６２をその軸方向一端部で支持する支持部材に対向する位置）において、引掛け部１６２及びトーションバネ１７２によって支持されている。また、グリッド１１０の短手方向両端部（線状部１３２）は、支持されておらず、シールドケース１０２に対して非接触となっている。従って、本実施形態に係るグリッド１１０は、その長手方向両端部でのみ支持されている。
【００６２】
なお、帯電装置１００には、感光体６２の回転軸方向に沿って移動して放電ワイヤ１０６・１０８及びグリッド１１０を清掃する清掃部材１５０が設けられている。
【００６３】
（本実施形態に係る作用）
次に、本実施形態に係る作用を説明する。
【００６４】
本実施形態に係る画像形成装置によれば、グリッド１１０は、メッシュ部１２２において感光体６２との距離が一定となるように円弧状に塑性変形されている。これにより、メッシュ部１２２が平板状に形成された構成に比べて、帯電効率がよくなる。
【００６５】
また、本実施形態では、放電ワイヤが放電ワイヤ１０６・１０８の２本で構成されており、放電ワイヤ１０６・１０８のそれぞれにおいて帯電効率が向上する。従って、本実施形態の構成によれば、放電ワイヤが１本である構成に比べ、帯電効率の改善効果が高い。
【００６６】
また、本実施形態では、特に、絞り加工によってグリッド１１０を塑性変形させている。このため、効果的に自立的に湾曲形状を維持する。これにより、グリッド１１０は、グリッド１１０の長手方向両端部でのみ支持される本実施形態の構成において、感光体６２との距離が一定に保たれる。
【００６７】
また、本実施形態では、グリッド１１０の短手方向両端部（線状部１３２）は、支持されておらず、シールドケース１０２に対して非接触となっている。これにより、グリッド１１０の短手方向両端側でシールドケース１０２に支持される構成に比べて、グリッド１１０の長手方向において電位が変動しにくく、グリッド１１０の長手方向において帯電性のばらつきが発生しにくい。
【００６８】
また、本実施形態では、感光体６２は、その表面に、感光体６２の表面の摩耗を抑制するオーバー・コート層を有している。このため、オーバー・コート層を有していない感光体に比べ、感光体６２の表面の摩耗量が少ないため、放電ワイヤの放電により発生する放電生成ガスにより変質、もしくは表面への放電生成ガスから生じる放電生成物の付着量が多くなる。これに対して、本実施形態の構成によれば、前述のとおり、帯電効率が上げるので放電生成ガスの発生が抑制され、放電生成ガスの影響を受けやすいオーバー・コート層を有する感光体において、放電生成ガスの発生に起因する画像欠陥（画像の濃度バラつきや濃度抜けなど）が抑制される。
【００６９】
なお、本実施形態では、放電ワイヤが２本設けられていたが、放電ワイヤは、１本であっても、３本以上であってもよい。
【００７０】
また、本実施形態では、図６に示すように、グリッド１１０の枠部分１２４（メッシュ部１２２の長手方向外側）に突き当たる突き当て部材を、さらに備える構成であってもよい。具体的には、図６に示すように、グリッド１１０の放電ワイヤ１０６・１０８側の表面（図６における上面）に突き当たる突き当て部材１８０・１８２が、シールドケース１０２の長手方向一端部におけるシールドケース１０２内に設けられている。突き当て部材１８０は、グリッド１１０の短手方向一端部の表面に突き当たっている。突き当て部材１８２は、グリッド１１０の短手方向他端部の表面に突き当たっている。
【００７１】
突き当て部材１８０・１８２は、例えば、支持部材１６０に設けられている。また、突き当て部材１８０・１８２は、具体的には、湾曲部１２０の枠部分１２４（メッシュ部１２２でない部分）であって、感光体６２との距離が一定となるように円弧状に塑性変形されていた部分に突き当たっている。
【００７２】
さらに、図６に示すように、グリッド１１０の感光体６２側の裏面（図６における下面）に突き当たる突き当て部材１９０が、感光体６２をその軸方向一端部で支持する支持部材６２Ａに設けられている。突き当て部材１９０は、突き当て部材１８０と突き当て部材１８２とが突き当たる部分の間の位置、具体的には、グリッド１１０の短手方向中央部の裏面に突き当たっている。また、突き当て部材１９０は、具体的には、湾曲部１２０の枠部分１２４（メッシュ部１２２でない部分）であって、感光体６２との距離が一定となるように円弧状に塑性変形されていた部分に突き当たっている。
【００７３】
なお、突き当て部材１８０・１８２・１９０は、グリッド１１０の長手方向他端側に対しても同様に設けられており、グリッド１１０に突き当たっている。
【００７４】
また、本実施形態では、グリッド１１０が、少なくとも、メッシュ部１２２において感光体６２との距離が一定となるように円弧状に塑性変形されていたが、グリッド１１０が感光体６２の外周面に沿って湾曲状に形成される形状としては、以下に示す構成であってもよい。
【００７５】
（グリッド１１０の第１変形例）
【００７６】
第１変形例に係るグリッド２１０では、図７に示すように、メッシュ部２２２が感光体６２の回転方向上流から回転方向下流側に向かって、徐々に曲率が大きくなった湾曲形状に自立的に維持されている。これにより、メッシュ部２２２の感光体６２に対する距離が、感光体６２の回転方向上流から回転方向下流側に向かって、徐々に長くなっている。
【００７７】
一般に、グリッド１１０によって制御される制御電位に対する感度は、感光体６２の回転方向下流側において上流側よりもよいが、感光体６２とメッシュ部２２２を感光体６２の回転方向下流側で離すことで、感光体６２の回転方向上流側との感度の差が小さくなる。
【００７８】
これにより、グリッド１１０における感光体６２の回転方向下流側で、感光体６２の回転軸方向で帯電電位のばらつきが生じても、その影響が小さくなる。
【００７９】
なお、第１変形例の構成では、放電ワイヤが２本設けられていたが、放電ワイヤは、１本であっても、３本以上であってもよい。
【００８０】
（グリッド１１０の第２変形例）
【００８１】
第２変形例に係るグリッド３１０では、図８に示すように、メッシュ部３２２が感光体６２の回転方向上流側において、感光体６２との距離が一定となるように長手方向から見て円弧状に塑性変形され、感光体６２の回転方向下流側において、平板状に形成されている。これにより、メッシュ部２２２の感光体６２に対する距離が、感光体６２の回転方向上流から回転方向下流側に向かって、徐々に長くなっている。
【００８２】
この構成により、第１変形例と同様に、感光体６２とメッシュ部２２２を感光体６２の回転方向下流側で離すことで、感光体６２の回転方向上流側との感度の差が小さくなる。
【００８３】
これにより、グリッド１１０における感光体６２の回転方向下流側で、感光体６２の回転軸方向で帯電電位のばらつきが生じても、その影響が小さくなる。
【００８４】
また、帯電装置１００で発生するイオン風が、グリッド１１０に沿って流れるため、該イオン風が、感光体６２の回転方向下流側に向く。これにより、放電生成ガスが排出しやすくなる。
【００８５】
なお、第２変形例の構成では、放電ワイヤが２本設けられていたが、放電ワイヤは、１本であっても、３本以上であってもよい。
【００８６】
（グリッド１１０の第３変形例）
【００８７】
第３変形例に係るグリッド４１０では、図９に示すように、メッシュ部４２２が、グリッド１１０の短手方向中央部Ｂと感光体６２の回転中心Ｃとを通る線分ＢＣを半径とする円の曲率よりも大きい曲率とされた円弧状に自立的に維持されている。これにより、メッシュ部４２２の感光体６２に対する距離が、感光体６２の回転方向中央部から回転方向上流側に向かって、徐々に長くなると共に、感光体６２の回転方向中央部から回転方向下流側に向かって、徐々に長くなっている。このように、第３変形例では、被帯電体の回転方向下流端を含む回転方向下流側の一部において、感光体６２との距離が、感光体６２の回転方向下流側に行くにつれて離れている。
【００８８】
なお、第３変形例の構成では、放電ワイヤが２本設けられていたが、放電ワイヤは、１本であっても、３本以上であってもよい。
【００８９】
（グリッド１１０の第４変形例）
【００９０】
第４変形例に係るグリッド５１０では、図１０に示すように、メッシュ部５２２が、グリッド１１０の短手方向中央部Ｂで屈曲している。メッシュ部５２２は、中央部Ｂよりも感光体６２の回転方向上流側において、放電ワイヤ１０６と感光体６２の回転中心Ｃとを通る線分１０６Ｃと直交し、中央部Ｂよりも感光体６２の回転方向下流側において、放電ワイヤ１０８と感光体６２の回転中心Ｃとを通る線分１０８Ｃと直交している。
【００９１】
なお、第４変形例の構成では、放電ワイヤが２本設けられていたが、放電ワイヤは、３本以上であってもよい。また、なお、第４変形例の構成では、仕切板１０４が設けられていたが、仕切板１０４がない構成であってもよい。
【００９２】
（帯電装置１００が適用される画像形成装置の構成）
本実施形態に係る帯電装置１００が適用される画像形成装置について、前述の画像形成装置１０以外の適用例を説明する。ここでは、適用例を２つ挙げ、それぞれについて説明する。
【００９３】
［適用例１に係る画像形成装置の構成］
図１１は、適用例１に係る画像形成装置の構成を示す概略構成図である。
図１１において、２５４は矢印Ｊ方向に回転駆動する静電潜像保持体である感光体（像保持体）であり、その周囲に順に、感光体２５４表面を均一帯電する前述の帯電装置１００、感光体２５４表面に像様の光を照射して静電潜像を形成する露光器（静電潜像形成手段）２５８、並びに、トナー及びキャリアからなる二成分現像剤を感光体２５４表面に供給し静電潜像を現像してトナー像を形成する現像装置（現像手段）２６０からなるトナー像形成手段と、感光体２５４表面に形成されたトナー像を用紙（記録媒体）Ｐに転写する転写器（転写手段）２６４と、感光体６２の外周面への放電により転写器２６４の帯電履歴を除電する除電装置２７０と、感光体２５４表面に残存するトナーやごみ等の不純物を掻き取って除去するブレード式のクリーニング装置（清掃手段）２６６と、感光体２５４表面の静電潜像を除去する除電器２６８と、が配され、さらに転写器２６４に対して用紙Ｐの搬送方向（矢印Ｋ方向）下流には、用紙Ｐに転写されたトナー像を定着する定着器（定着手段）２７２が配されている。
【００９４】
露光器２５８としては、感光体２５４表面に、半導体レーザ、ＬＥＤ（ｌｉｇｈｔ ｅｍｉｔｔｉｎｇ ｄｉｏｄｅ）、液晶シャッター等の光源を所望の像様に露光できる光学系装置等を用いることができる。これらの中でも、非干渉光を露光可能な露光装置を用いることが好ましい。
【００９５】
現像装置２６０は、トナー（体積平均粒径５．８μｍ）及びキャリアからなる二成分現像剤が収容されており、該二成分現像剤の内キャリアが現像スリーブ（現像剤保持体）表面にいわゆる磁気ブラシを形成し、これによりトナーが感光体２５４表面に供給されて静電潜像が現像される。
【００９６】
転写手段として、本例においてはロール型の接触型転写帯電器（転写器２６４）を用いているが、その他ベルト、フィルム、ゴムブレード等を用いた接触型転写帯電器であってもよいし、コロナ放電を利用したスコロトロン転写帯電器やコロトロン転写帯電器等であってもよい。
【００９７】
除電装置２７０は、クリーニング装置２６６による残留トナー等の回収前に、例えば、感光体２５４の外周面にマイナス放電を行い、転写器２６４によるプラス帯電の履歴を除去し、次の画像形成に影響を与えないようにするためのものである。
【００９８】
本例においては、清掃手段として、クリーニング装置２６６のようにゴムなどの弾性材料からなるクリーニングブレードを用い、その一方のエッジを感光体２５４表面に当接させて、表面に付着したトナー等を除去する方式のものを採用している。ただし、本実施形態において、導電性プラスチックを用いたブラシ等、その他公知のクリーニング方式の清掃手段を採用しても構わない。
【００９９】
定着器２７２としては、一対のロール型の像定着部材を備える２ロール方式の定着手段が例示されるが、本実施形態においてその他の定着方式を採用しても勿論構わない。
【０１００】
矢印Ｊ方向に回転駆動する感光体２５４は、まず、その表面が帯電装置１００によって均一に帯電された上で、露光器２５８によって画像情報に応じて露光され、感光体２５４表面に露光部／非露光部に基づく電位の隔たりからなる静電潜像が形成される。次いで、一方の電位に帯電されたトナーが現像装置２６０によって感光体２５４表面に供給され、静電潜像が現像されてトナー像とされたのち、転写器２６４によって用紙Ｐ表面に転写される。未定着のトナー像を表面に有する用紙Ｐは、矢印Ｋ方向に搬送されて、定着器２７２のニップに挿通され、熱及び圧力が加えられてトナーが溶融し、用紙Ｐに固着して永久画像が形成される。
【０１０１】
一方、トナー像転写後の感光体２５４表面は、除電装置２７０の放電により転写器２６４の帯電履歴が除電された後、転写器２６４で転写されずに残った残留トナーや紙粉等のゴミ（不純物）がクリーニング装置２６６により除去され、次いで残存する静電潜像が除電器２６８によって除去されて一連の画像形成サイクルが終了し、次の画像形成サイクルに備える。
【０１０２】
［適用例２に係る画像形成装置の構成］
図１２は、適用例２に係る画像形成装置の構成を示す概略構成図である。
画像形成装置３７４は、感光体（静電潜像保持体）３７６、帯電手段である帯電器３７８、静電潜像形成手段である露光器３８０、現像手段であるロータリー現像装置３８２、中間転写手段である一次転写ロール３８４、及び、クリーニングブレードによるクリーニング装置３８６からなるトナー像形成手段と、複数色のトナー像が積層され、一括して記録用紙（記録媒体）Ｐに転写させる中間転写体３８８と、一次転写ロール３８４と共に中間転写体３８８を張架支持する３つの支持ロール３９０，３９２，３９４と、二次転写手段（転写手段）である二次転写ロール３９６と、感光体６２の外周面への放電により転写器２６４の帯電履歴を除電する除電装置として用いられる前述の帯電装置１００と、中間転写体３８８表面に残存するトナーやごみ等の不純物を掻き取って除去するブレード式の中間転写体クリーニング装置（清掃手段）３９８と、二次転写後の記録用紙Ｐを搬送する搬送ベルト３０２と、搬送ベルト３０２により搬送されてきた記録用紙Ｐを２つの加熱ロール３０４及び加圧ロール３０６で挟み込み、熱と圧力でトナー像を定着する定着装置（定着手段）３０８と、を備えて構成されている。
【０１０３】
感光体３７６は、全体としてドラム状に形成されたもので、その外周面（ドラム表面）に感光層を有している。この感光体３７６は図１２の矢印Ｍ方向に回転可能に設けられている。帯電器３７８は、感光体３７６の表面を一様に帯電するものである。露光器３８０は、帯電器３７８によって一様に帯電された感光体３７６に像様の光Ｌを照射することにより、静電潜像を形成するものである。
【０１０４】
ロータリー現像装置３８２は、それぞれイエロー用、マゼンタ用、シアン用、ブラック用トナーを収容する４つ現像器３８２Ｙ，３８２Ｍ，３８２Ｃ，３８２Ｋを有するものである。本置では、現像器３８２Ｙにはイエロートナー、現像器３８２Ｍにはマゼンタトナー、現像器３８２Ｃにはシアントナー、現像器３８２Ｋにはブラックトナーがそれぞれ収容されている。
【０１０５】
このロータリー現像装置３８２は、上記４つの現像器３８２Ｙ，３８２Ｍ，３８２Ｃ，３８２Ｋが順に感光体３７６と近接、対向するように回転駆動することにより、それぞれの色に対応する静電潜像にトナーを転移してトナー像を形成するものである。
【０１０６】
一次転写ロール３８４は、感光体３７６との間で中間転写体３８８を挟持しつつ、感光体３７６表面に形成されたトナー像をエンドレスベルト状の中間転写体３８８の外周面に転写（一次転写）するものである。クリーニング装置３８６は、転写後に感光体３７６表面に残ったトナー等をクリーニング（除去）するものである。中間転写体３８８は、その内周面が複数の支持ロール３９０，３９２，３９４及び一次転写ロール３８４によって張架され、矢印Ｎ方向及びその逆方向に周回可能に支持されている。二次転写ロール３９６は、図示しない用紙搬送手段によって矢印Ｏ方向に搬送される記録用紙（記録媒体）Ｐを支持ロール３９４との間で挟持しつつ、中間転写体３８８外周面に転写されたトナー像を記録用紙Ｐに転写（二次転写）するものである。
【０１０７】
図１２の画像形成装置３７４における感光体（静電潜像保持体）３７６、帯電器（帯電手段）３７８、露光器（静電潜像形成手段）３８０、定着装置（定着手段）３０８については、適用例１に係る画像形成装置おける前述の定着器２７２と同様であるため、詳細な説明は割愛する。
【０１０８】
また、一次転写ロール（中間転写手段）３８４及び二次転写ロール（転写手段）３９６については転写器６４と同様であり、クリーニング装置３８６及び中間転写体クリーニング装置３９８についてはクリーニング装置６６と同様であるため、これらについても詳細な説明は割愛する。
【０１０９】
中間転写体としては、公知の中間転写体を用いればよい。中間転写体に用いられる材料としては、ポリカーボネート樹脂（ＰＣ）、ポリフッ化ビニリデン（ＰＶＤＦ）、ポリアルキレンフタレート、ＰＣ／ポリアルキレンテレフタレート（ＰＡＴ）のブレンド材料、エチレンテトラフロロエチレン共重合体（ＥＴＦＥ）／ＰＣ、ＥＴＦＥ／ＰＡＴ、ＰＣ／ＰＡＴのブレンド材料等が挙げられるが、機械的強度の観点から熱硬化ポリイミド樹脂を用いた中間転写ベルトが好ましい。なお、本例においては、中間転写体としてベルト状のものを用いているが、ドラム状（円筒状）のものであっても問題ない。
【０１１０】
帯電装置１００は、回転すると共に円弧状の外周面を有する被帯電体の一例としての中間転写体３８８を介して支持ロール３９２に対向して設けられている。すなわち、帯電装置１００は、支持ロール３９２に巻き掛けられて円弧状となった中間転写体３８８の外周面に対向している。帯電装置１００は、クリーニング装置３９８による残留トナー等の回収前に、例えば、中間転写体３８８の外周面にマイナス放電を行い、二次転写ロール３９６によるプラス帯電の履歴を除去し、次の画像形成に影響を与えないようにするために用いられる。
【０１１１】
画像形成装置３７４は、順次、感光体３７６表面にトナー像を形成して中間転写体３８８外周面（表面）に重ねて転写するものであり、次のように動作する。すなわち、まず、感光体３７６が回転駆動され、帯電器３７８によって感光体３７６の表面が一様に帯電された（帯電工程）後、その感光体３７６に露光器３８０によるマゼンタ像様の像光が照射されて静電潜像が形成される。
【０１１２】
この静電潜像は例えばマゼンタ用の現像器３８２Ｍによって現像された後、そのトナー像が一次転写ロール３８４によって中間転写体３８８外周面に転写される。このとき中間転写体３８８に転写されずに感光体３７６表面に残ったマゼンタトナー等は、クリーニング装置３８６によりクリーニングされる。
【０１１３】
また、マゼンタ色のトナー像が、外周面に形成された中間転写体３８８は、該外周面にマゼンタ色のトナー像を保持したまま、一旦矢印Ｎ方向と逆方向に周回移動（この時、感光体３７６と中間転写体３８８とが離間するように構成されている。）し、次の例えばシアン色のトナー像が、マゼンタ色のトナー像の上に積層されて転写される位置に備えられる。
【０１１４】
以降、シアン、イエロー、ブラックの各トナーについても、上記同様に帯電器３７８による帯電、露光器３８０による像光の照射、各現像器３８２Ｃ，３８２Ｙ，３８２Ｋによるトナー像の形成、中間転写体３８８外周面へのトナー像の転写が順次、繰り返される。
【０１１５】
こうして中間転写体３８８外周面に対する４色のトナー像の転写が終了すると、このトナー像は二次転写ロール３９６により一括して記録用紙Ｐに転写される（二次転写工程）。これにより、記録用紙Ｐの画像形成面には、画像形成面から順にマゼンタトナー像、シアントナー像、イエロートナー像、ブラックトナー像が積層された記録画像が得られる。二次転写ロール３９６によってトナー像が記録用紙Ｐ表面に転写された後に、定着器３０８によって転写されたトナー像が加熱定着される（定着工程）。
【０１１６】
一方、トナー像の一括転写後の中間転写体３８８外周面は、粒子供給装置１００により潤滑材粒子が供給された後、二次転写ロール３９６で転写されずに残った残留トナーや紙粉等のゴミ（不純物）が中間転写体クリーニング装置３９８により除去されて一連の画像形成サイクルが終了し、次の画像形成サイクルに備える。
【０１１７】
以上、図１１及び図１２に示す２つの構成の画像形成装置を例に挙げて説明したが、本実施形態に係る帯電装置１００は、従来公知の電子写真方式の画像形成装置に適用することができ、勿論、いずれの場合も本発明の画像形成装置を構成する。
【０１１８】
例えば、上記実施形態では色数分の現像器を有するロータリー現像装置によって、１つの感光体３７６に各色の潜像を形成して、その都度中間転写体３８８に転写する構成の装置を例示しているが、色数分の感光体、帯電手段、現像手段及びクリーニング手段等を有するトナー像形成手段をユニットとして色数分用意し、各色ユニットを中間転写体に対向させて並列に配置（物理的に直線状でなくても構わない。）して、それぞれのユニットで形成された各色のトナー像を中間転写体に一次転写して順次積層し、一括して記録媒体に二次転写する、一般的にタンデム方式と呼ばれる画像形成装置に適用してもよい。
【０１１９】
本発明は、上記の実施形態に限るものではなく、種々の変形、変更、改良が可能である。例えば、上記に示した変形例は、適宜、複数を組み合わせて構成しても良い。
【符号の説明】
【０１２０】
１０  画像形成装置
６２  感光体（被帯電体の一例）
１００  帯電装置
１０６  放電ワイヤ（放電電極の一例）
１０８  放電ワイヤ（放電電極の一例）
１１０  グリッド（電位制御板の一例）
１６０  支持部材
１７０  支持部材
１８０  突き当て部材
１８２  突き当て部材
１９０  突き当て部材
２１０  グリッド（電位制御板の一例）
２５４  感光体（被帯電体の一例）
３１０  グリッド（電位制御板の一例）
３８８  中間転写体（被帯電体の一例）
４１０  グリッド（電位制御板の一例）
５１０  グリッド（電位制御板の一例）
【図１】
0005817152.tif 000002
【図２】
0005817152.tif 000003
【図３】
0005817152.tif 000004
【図４】
0005817152.tif 000005
【図５】
0005817152.tif 000006
【図６】
0005817152.tif 000007
【図７】
0005817152.tif 000008
【図８】
0005817152.tif 000009
【図９】
0005817152.tif 000010
【図１０】
0005817152.tif 000011
【図１１】
0005817152.tif 000012
【図１２】
0005817152.tif 000013